(57)【要約】【課題】  放射能汚染地域、特に原子力発電所近傍の建築物や、核戦争時の「核シェルター」としての建築の必要性が問われているが、そのための実用的な放射線遮蔽建築は、提案されていなかった。  加えて、福島県等の放射能汚染地域においては、被曝された土壌や瓦礫を除去し、それらを保管する中間保管施設、又は永久保管施設において、十分な保管機能を有する放射線遮蔽構造物が、緊喫の課題として望まれている。【解決手段】  高機能セラミックコンクリート（以下「高セラ材」という）を、木造建築、又は鉄骨造建築、又は鉄筋コンクリート造建築、又は鉄骨鉄筋コンクリート造建築、及び／又は構造物の外壁材、又は内壁材として適合させた放射線遮蔽建築及び／又は放射線遮蔽構造物を提供する。【選択図】図３
2013195416.tif 000002
【特許請求の範囲】
【請求項１】
高機能セラミックコンクリート（以下「高セラ材」という）を、木造建築、又は鉄骨造建築、又は鉄筋コンクリート造建築、又は鉄骨鉄筋コンクリート造建築、及び／又は構造物の外壁材、及び／又は屋根材、及び／又は、基礎材として用いることを特徴とする放射線遮蔽建築及び／又は放射線遮蔽構造物。
【請求項２】
高機能セラミックコンクリート（以下「高セラ材」という）を、木造建築、又は鉄骨造建築、又は鉄筋コンクリート造建築、又は鉄骨鉄筋コンクリート造建築、及び／又は構造物の内壁材、及び／又は天井材、及び／又は床材、及び／又は蓋材、及び／又は底板材として用いることを特徴とする放射線遮蔽建築及び／又は放射線遮蔽構造物。
【請求項３】
壁面材とコーナー材とにより構成されており、それらの接合部には、タングステン入り弾性充填剤が充填されていることを特徴とする請求項１記載、又は請求項２記載の放射線遮蔽建築及び／又は放射線遮蔽構造物。
【請求項４】
タングステン入り弾性充填剤の内壁側に、タングステン入りシート材が設けられていることを特徴とする請求項１記載、又は請求項２記載、又は請求項３記載の放射線遮蔽建築及び／又は放射線遮蔽構造物。
【請求項５】
皿ビス、及び平頭ビス等の固定具の外側には、放射線遮断カバーが設けられていることを特徴とする請求項１記載、又は請求項２記載、又は請求項３記載、又は請求項４記載の放射線遮蔽建築及び／又は放射線遮蔽構造物。
【請求項６】
鉄筋コンクリート構造、又は鉄筋コンクリート製構造物の外面に「高セラ材」を薄く形成し、「高セラ材」の高強度性、及び割れ防止性を利用して、鉄筋コンクリートの厚さを削減したことを特徴とする請求項１記載、又は請求項２記載、又は請求項３記載、又は請求項４記載、又は請求項５記載の放射線遮蔽建築及び／又は放射線遮蔽構造物。
【請求項７】
建築物の耐力壁、又は構造物の壁材、及び／又は底板材、及び／又は蓋材に「高セラ材」を用いた「高セラ材」製ブロック材を構成したことを特徴とする請求項１記載、又は請求項２記載、又は請求項３記載、又は請求項４記載、又は請求項５記載の、又は請求項６記載の放射線遮蔽建築及び／又は放射線遮蔽構造物。
【請求項８】
「高セラ材」製ブロック材のいずれかの面には、ボタン状、又は線状、又は段差状の突型の突起が設けられており、他方面には、凹型の穴部が設けてあり、これらの突起と穴部は、お互いに組み合わされ、その接合部に「高セラ材モルタル」を用いて、一体化した高強度構造物を形成していることを特徴とする請求項１記載、又は請求項２記載、又は請求項３記載、又は請求項４記載、又は請求項５記載の、又は請求項６記載、又は請求項７記載の放射線遮蔽建築及び／又は放射線遮蔽構造物。
【請求項９】
壁板を構成する壁面材、とコーナー材、又は壁面材同士の接合部は、接合部材により結合され、その間の目地部には、モルタル状の「高セラ材モルタル」により、強固に一体化されたことを特徴とする請求項１記載、又は請求項２記載、又は請求項３記載、又は請求項４記載、又は請求項５記載、又は請求項６記載、又は請求項７記載、又は請求項８記載の放射線遮蔽建築及び／又は放射線遮蔽構造物。
【請求項１０】
重量比で、ポルトランドセメント対「高セラ材」を、混合した合成材料１００％に対し、ポルトランドセメント２０〜８０％となるよう「高セラ材」１を、混入させることにより、建築材や構造材を安価に製造することができることを特徴とする請求項１記載、又は請求項２記載、又は請求項３記載、又は請求項４記載、又は請求項５記載、又は請求項６記載、又は請求項７記載、又は請求項８記載、又は請求項９記載の放射線遮蔽建築及び／又は放射線遮蔽構造物。
【請求項１１】
「高セラ材」の強度を更に高めるため、補強繊維を混入させたこと特徴とする請求項１記載、又は請求項２記載、又は請求項３記載、又は請求項４記載、又は請求項５記載、又は請求項６記載、又は請求項７記載、又は請求項８記載、又は請求項９記載、又は請求項１０記載の放射線遮蔽建築及び／又は放射線遮蔽構造物。
【請求項１２】
「高セラ材」製ブロック材の外面に、熱伝達塗料を塗装したこと特徴とする請求項１記載、又は請求項２記載、又は請求項３記載、又は請求項４記載、又は請求項５記載、又は請求項６記載、又は請求項７記載、又は請求項８記載、又は請求項９記載、又は請求項１０記載、又は請求項１１記載の放射線遮蔽建築及び／又は放射線遮蔽構造物。
【発明の詳細な説明】
【技術分野】
【０００１】  本発明は、放射線遮蔽建築及び／又は放射線遮蔽構造物に関する。
【背景技術】
【０００２】  本年、原子力発電所での設備事故により発生した広域放射線汚染災害が、国内、国外の最大の課題となっている。
従来より放射線遮蔽材としては、鉛、鉛合金、アンチモン含有物等が用いられてきたが、これらは十分な遮蔽能力を発生するには、十分な厚さが必要なため、重量が重く、又融点が低いため、高温の場所では使えない等の数多くの欠点を有していた。
そのため、遮蔽物としてタングステンを用いることも、検討されていたが、材料が高比重で、硬質、かつ脆性材料であるため、切断や加工が難しく、特に柔軟な屈折等が必要な部位では破損しやすく、遮蔽材と遮蔽材との間の空間の処理が困難であった。
それを解決する手段として、布体にタングステン等による混合遮蔽材を、塗布等の手段により構成した放射線遮蔽具が、同一出願人により「特願２０１１−１９３３２４」として、出願されている。
この構造は、布体等の柔軟な部材に適用する場合は、極めて有効であるが、建築や強度を有する遮蔽構造物を形成する形態に有効な構造が望まれていた。
【先行技術文献】
【特許文献】
【０００３】
【特許文献１】「特願２０１１−１９３３２４」
【発明の概要】
【発明が解決しようとする課題】
【０００４】  本発明は、放射線遮蔽物として高機能セラミックコンクリートを使用するものである。
特に放射線遮断性能の高い構造材として開発された高機能セラミックコンクリートを用いることにより、前記「特願２０１１−１９３３２４」の構造との併用、又は別部材への適用を行う画期的構成を提供するものである。【０００５】  特に、放射線遮蔽建築としての必要性は、放射能汚染地域においては、いつ被曝量が変化するか予測が不可能なため、汚染地域における建築は、放射線遮蔽能力を有する建築が望まれている。
また今後原子力発電所近傍の建築物や、核戦争時の「核シェルター」としての必要性が問われているが、そのための放射線遮蔽建築は、提案されていなかった。【０００６】  加えて、福島県、チェルノブイリ等の放射能汚染地域においては、被曝された土壌や瓦礫を除去し、それらを保管する中間保管施設、又は永久保管施設において、十分な保管機能を有する放射線遮蔽構造物が、緊喫の課題として望まれている。
【課題を解決するための手段】
【０００７】  高機能セラミックコンクリート（以下「高セラ材」という）を、木造建築、又は鉄骨造建築、又は鉄筋コンクリート造建築、又は鉄骨鉄筋コンクリート造建築、及び／又は構造物の外壁材、及び／又は屋根材、及び／又は、基礎材として用いることを特徴とする放射線遮蔽建築及び／又は放射線遮蔽構造物を提供する。【０００８】  高機能セラミックコンクリート（以下「高セラ材」という）を、木造建築、又は鉄骨造建築、又は鉄筋コンクリート造建築、又は鉄骨鉄筋コンクリート造建築、及び／又は構造物の内壁材、及び／又は天井材、及び／又は床材、及び／又は蓋材、及び／又は底板材として用いることを特徴とする放射線遮蔽建築及び／又は放射線遮蔽構造物を提供する。【０００９】  壁面材とコーナー材とにより構成されており、それらの接合部には、タングステン入り弾性充填剤が充填されていることを特徴とする請求項１記載、又は請求項２記載の放射線遮蔽建築及び／又は放射線遮蔽構造物を提供する。【００１０】  タングステン入り弾性充填剤の内壁側に、タングステン入りシート材が設けられていることを特徴とする請求項１記載、又は請求項２記載、又は請求項３記載の放射線遮蔽建築及び／又は放射線遮蔽構造物を提供する。【００１１】  皿ビス、及び平頭ビス等の固定具の外側には、放射線遮断カバーが設けられていることを特徴とする請求項１記載、又は請求項２記載、又は請求項３記載、又は請求項４記載の放射線遮蔽建築及び／又は放射線遮蔽構造物を提供する。【００１２】  鉄筋コンクリート構造、又は鉄筋コンクリート製構造物の外面に「高セラ材」を薄く形成し、「高セラ材」の高強度性、及び割れ防止性を利用して、鉄筋コンクリートの厚さを削減したことを特徴とする請求項１記載、又は請求項２記載、又は請求項３記載、又は請求項４記載、又は請求項５記載の放射線遮蔽建築及び／又は放射線遮蔽構造物を提供する。【００１３】  建築物の耐力壁、又は構造物の壁材、及び／又は底板材、及び／又は蓋材に「高セラ材」を用いた「高セラ材」製ブロック材を構成したことを特徴とする請求項１記載、又は請求項２記載、又は請求項３記載、又は請求項４記載、又は請求項５記載の、又は請求項６記載の放射線遮蔽建築及び／又は放射線遮蔽構造物を提供する。【００１４】  「高セラ材」製ブロック材のいずれかの面には、ボタン状、又は線状、又は段差状の突型の突起が設けられており、他方面には、凹型の穴部が設けてあり、これらの突起と穴部は、お互いに組み合わされ、その接合部に「高セラ材モルタル」を用いて、一体化した高強度構造物を形成していることを特徴とする請求項１記載、又は請求項２記載、又は請求項３記載、又は請求項４記載、又は請求項５記載の、又は請求項６記載、又は請求項７記載の放射線遮蔽建築及び／又は放射線遮蔽構造物を提供する。【００１５】  壁板を構成する壁面材、とコーナー材、又は壁面材同士の接合部は、接合部材により結合され、その間の目地部には、モルタル状の「高セラ材モルタル」により、強固に一体化されたことを特徴とする請求項１記載、又は請求項２記載、又は請求項３記載、又は請求項４記載、又は請求項５記載、又は請求項６記載、又は請求項７記載、又は請求項８記載の放射線遮蔽建築及び／又は放射線遮蔽構造物を提供する。【００１６】  重量比で、ポルトランドセメント対「高セラ材」を、混合した合成材料１００％に対し、ポルトランドセメント２０〜８０％となるよう「高セラ材」１を、混入させることにより、建築材や構造材を安価に製造することができることを特徴とする請求項１記載、又は請求項２記載、又は請求項３記載、又は請求項４記載、又は請求項５記載、又は請求項６記載、又は請求項７記載、又は請求項８記載、又は請求項９記載の放射線遮蔽建築及び／又は放射線遮蔽構造物を提供する。【００１７】  「高セラ材」の強度を更に高めるため、補強繊維を混入させたこと特徴とする請求項１記載、又は請求項２記載、又は請求項３記載、又は請求項４記載、又は請求項５記載、又は請求項６記載、又は請求項７記載、又は請求項８記載、又は請求項９記載、又は請求項１０記載の放射線遮蔽建築及び／又は放射線遮蔽構造物を提供する。【００１８】  「高セラ材」製ブロック材の外面に、熱伝達塗料を塗装したこと特徴とする請求項１記載、又は請求項２記載、又は請求項３記載、又は請求項４記載、又は請求項５記載、又は請求項６記載、又は請求項７記載、又は請求項８記載、又は請求項９記載、又は請求項１０記載、又は請求項１１記載の放射線遮蔽建築及び／又は放射線遮蔽構造物を提供する。
【発明の効果】
【００１９】▲１▼「高セラ材」の放射線遮蔽性能は、極めて高く、特にガンマ線の遮蔽性能に優れ、地表に漏出しない。このことにより放射性廃棄物封入の最終処分場での国際基準である１００年以上の安定した保管が達成できるのである。
▲２▼機械的性能は、圧縮強度は、５０Ｎ／ｍｍ２以上、曲げ強度は、１０Ｎ／ｍｍ２以上、引張強度は、３Ｎ／ｍｍ２以上、割裂強度は、３Ｎ／ｍｍ２以上、曲げ歪は、０．０６％以上と、極めて高く、従来コンクリートに不可欠であった鉄筋も不要となる可能性が示された。
▲３▼施工厚さも１ｍｍ以上であれば施工可能で、吹付け、流し込み、コテ仕上げ等で施工可能である。
▲４▼大量施工時の「温度ひび割れ」が発生しない。
▲５▼硬化収縮が起こらないため、従来コンクリートの上からの重ね塗りも可能であり、コールドジョイントが発生しない。
▲６▼密着性が高く、コンクリート、鉄、石、木材等と強固に密着するため、剥離・剥脱がない。
▲７▼そのため、既設道路表面等の口荒し等の切削が不要で、廃材も抑制できる。そのため工期の短縮や、施工コストの削減効果がある。
▲８▼緻密で水分を通さないため、アルカリ骨材反応や、凍結融解を防止し、従来コンクリートの寿命を大きく延ばす。
▲９▼硬化が速い。施工後、１時間程度で実用強度に達するため工期の短縮や、施工コストの削減効果がある。
▲１０▼氷点下での施工が可能。
▲１１▼水中での施工も可能。
▲１２▼地中での迷走電流による耐腐食性が高い。
▲１３▼耐塩性が高く、廃棄物に付着した塩分による腐食が防止できる。
▲１４▼高い耐火性と断熱性を有する。
▲１５▼耐薬品性が高く重金属等溶出試験で立証されている。
▲１６▼着色可能で、表面と内部も着色できる。
▲１７▼製造時のＣＯ２発生量は、従来コンクリートの約１／１０で、地球温暖化防止対策に貢献する。
以上、極めて優れた画期的性能を有し、その性能を利用して本発明の放射線遮蔽建築及び放射線遮蔽構造物を開発したものである。
【図面の簡単な説明】
【００２０】
【図１】横張型の概略斜視図である。
【図２】縦張型の概略斜視図である。
【図３】外壁材として、「高セラ材」を用いたＡ−Ａ水平断面図である。
【図４】Ｂ−Ｂ縦断面図である。
【図５】鉄筋コンクリート製構造物の外壁に「高セラ材」を用いた水平断面図を示す。
【図６】鉄筋コンクリート製構造物の外面に「高セラ材」を形成した水平断面図である。
【図７】建築物の耐力壁、又は構造物に「高セラ材」を用いた水平断面図である。
【図８】図７の縦断面Ｃ−Ｃを示すものである。
【図９】短い結合ピン１８を用いた縦断面図である。
【図１０】図７の断面Ｄ−Ｄの上下の接合部を示す縦断面図である。
【図１１】「高セラ材」製ブロック材１３を、壁固定金具２２により固定した縦断面図である。
【図１２】補強繊維２３を混入させた構造の断面図である。
【図１３】外面に、化粧タイル２４を、打ち込んだ構造の断面図である。
【図１４】「高セラ材」製ブロック材１３の外面に、熱伝達塗料２６を塗装した構造の断面図である。
【図１５】放射線遮蔽函体３１を示す概略斜視図である。
【図１６】放射線遮蔽函体３７を示す概略斜視図である。
【図１７】放射線遮蔽函体３７の詳細構造の１例を示す概略斜視図である。
【図１８】Ｅ−Ｅ水平断面図を示すものである。
【図１９】Ｆ−Ｆ縦断面図を示すものである。
【図２０】壁材３８と、コーナー部材３９との結合部を示す水平断面図である。
【図２１】「高セラ材」製ブロック材５１で、放射線遮蔽函体５０を形成した斜視図である。
【図２２】「高セラ材」製ブロック材５１の拡大斜視図である。
【図２３】一つの「高セラ材」製ブロック材５１の断面図である。
【発明を実施するための形態】
【００２１】  本発明は、遮蔽物として放射線遮蔽率の高い材料として高機能セラミックコンクリートを使用した建築、又は構造物を提供するものである。
【００２２】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例】
【００２３】  以下、本発明の実施例について、詳細な説明をする。
放射線遮蔽率の高い材料としては、タングステン、又はタングステン化合物、又はタングステン基合金のいずれか、又は他の重金属との混合物等（以下「タングステン等」という）の他に、高機能セラミックコンクリート（以下「高セラ材」という）がある。
「高セラ材」の一例としては、イーグルビジョン社（登録商標）製の商品名「イーグル８」（登録商標）等が有る。【００２４】  「高セラ材」は、
基材に水を混練して生成したもので、金属酸化物と、水の酸塩基反応で、反応熱を伴う化学反応により固化したものである。
基材は、酸化マグネシュームと２水素リン酸カリウム、他の混合粉末で、若干の細骨材を混入させて構成する。
生成化学式は、ＭｇＯ＋ＫＨ２ＰＯ４＋Ｈ２Ｏ→ＭｇＰＫＯ４・６Ｈ２Ｏ
である。【００２５】  「高セラ材」の性能について述べる。
Ｉ．放射線遮蔽性能は、２０１１年、福島県の福島原発２０キロ圏内の警戒区域における実験で、下記の測定結果により、高い遮蔽性能が実証されたのである。
▲１▼汚染土壌の検体を、５ｃｍ厚の「高セラ材」の箱に入れ、放射線量を測定したところ、１４７μシーベルト／Ｈｒが、７．５μシーベルト／Ｈｒまで遮断し、９４．９％の遮断率となった。
▲２▼更にその外側に、５ｃｍ厚の「高セラ材」の箱に入れ、放射線量を測定したところ、１４７μシーベルト／Ｈｒが、２．０μシーベルト／Ｈｒまで遮断し、９８．６％の遮断率となった。
▲３▼更に、１０ｃｍ厚の「高セラ材」の板を加えて、放射線量を測定したところ、１４７μシーベルト／Ｈｒが、０．９μシーベルト／Ｈｒまで遮断し、９９．４％の遮断率となった。
▲４▼ガンマ線の遮蔽性能に優れ、地表に漏出しない。
従って、遮断性能は、極めて高いことが証明された。
このことにより放射性廃棄物封入の最終処分場での国際基準である１００年以上の安定した保管が達成できるのである。【００２６】ＩＩ．機械的性能は、
▲１▼圧縮強度は、５０Ｎ／ｍｍ２以上  通常コンクリートでは、１７〜２５Ｎ／ｍｍ２
曲げ強度は、１０Ｎ／ｍｍ２以上  通常コンクリートでは、３〜４Ｎ／ｍｍ２
引張強度は、３Ｎ／ｍｍ２以上
割裂強度は、３Ｎ／ｍｍ２以上
曲げ歪は、  ０．０６％以上
と、極めて高い。
ポルトランドセメント製の従来コンクリートに対し、引張に対し非常に強度が高く、耐摩耗性も高い。
従って、従来コンクリートに不可欠であった鉄筋も不要となる可能性が示された。
▲２▼施工厚さも１ｍｍ以上であれば施工可能で、吹付け、流し込み、コテ仕上げ等で施工可能である。
▲３▼大量施工時の「温度ひび割れ」が発生しない。
▲４▼硬化収縮が起こらないため、従来コンクリートの上からの重ね塗りも可能であり、コールドジョイントが発生しない。
▲５▼密着性が高く、コンクリート、鉄、石、木材等と強固に密着するため、剥離・剥脱がない。
▲６▼そのため、既設道路表面等の目荒し等の切削が不要で、廃材も抑制できる。そのため工期の短縮や、施工コストの削減効果がある。
▲７▼緻密で水分を通さないため、アルカリ骨材反応や、凍結融解を防止し、従来コンクリートの寿命を大きく延ばす。
▲８▼硬化が速い。施工後、１時間程度で実用強度に達するため工期の短縮や、施工コストの削減効果がある。
▲９▼氷点下での施工が可能。水と混合すると発熱反応を起こすため氷点下でも施工できる。
▲１０▼水中での施工も可能。
▲１１▼地中での迷走電流による耐腐食性が高い。
▲１２▼耐塩性が高く、廃棄物に付着した塩分による腐食が防止できる。
▲１３▼高い耐火性と断熱性を有する。
▲１４▼耐薬品性が高く重金属等溶出試験で立証されている。
▲１５▼着色可能で、無機顔料を添加することで、表面と内部も着色できる。
▲１６▼製造時のＣＯ２発生量は、従来コンクリートの約１／１０で、地球温暖化防止対策に貢献する。
以上、極めて優れた画期的性能を有し、その性能を利用して本発明の放射線遮蔽建築及び／又は放射線遮蔽構造物を開発したものである。【００２７】  本発明の構造を図面に従って説明する。
以下に説明する各部の実施例構造は、一つの例示であって、どのような対象に対しても、単独又は、合成して適用できるものである。
又、壁部材料だけでなく、屋根材、及び／又は基礎材、及び／又は柱部材料、及び／又は梁部材料等にも適用できるのである。
図１は「高セラ材」１を用いた横張型の概略斜視図を示すものである。
図２は、「高セラ材」１を用いた縦張型の概略斜視図を示すものである。【００２８】  図３は、一般的な木造建築、又は、鉄骨造建築、又は、鉄筋コンクリート造建築、又は、鉄骨鉄筋コンクリート造建築、及び／又は構造物の外壁材として、「高セラ材」１を用いた構造のＡ−Ａ水平断面図を示す。
例えば、木造建築の柱２、及び梁、又はツーバイフォー構造の如き木造耐力壁等の支持部材３に対し、「高セラ材」１を、皿ビス４ａ、又は平頭ビス４ｂ等の固定具４により取付けた例である。
支持部材３の内側には、間柱５が有り、その内側には、内壁材６が固定されている。又、間柱５間の空間には、断熱材７が充填され、断熱性能を高めており、建築壁を構成している。
「高セラ材」１は、壁面材１ａとコーナー材１ｂとにより構成されており、それらの接合部１ｃには、タングステン入り弾性充填剤８が充填されている。
又、タングステン入り弾性充填剤８の内壁側には、タングステン入りシート材９が設けられており、更なる放射線遮断を図っている。【００２９】  別の実施例としては、内壁材６、及び／又は天井材、及び／又は床材、及び／又は蓋材、及び／又は底板材を、「高セラ材」１とすることもできる。
このように行えば、外壁に手を加えることなく、例えば新築住宅だけでなく、既存住宅においても室内側より容易に放射能遮断建築とすることができる。（図示せず。）【００３０】  図４は、縦断面Ｂ−Ｂを示すものである。
皿ビス４ａ、及び平頭ビス４ｂの外側には、放射線遮断カバー１０が設けられ、固定具４での放射線通過の遮断を図っている。
平頭ビス４ｂは、いわゆるルーズ構成となっており、ネジ部の直径ｄ１に対し穴径Ｄ１はｄ１≦Ｄ１となっており、頭部の直径ｄ２に対して、穴径Ｄ２はｄ２≦Ｄ２となっていることにより、変形や熱膨張による移動を吸収できる構成となっている。
放射線遮断カバー１０は、タングステン含有のシート、又はタングステン含有の合成樹脂製、又は「高セラ材」１を用いたカバーとなっている。【００３１】  図５は、一般的な鉄筋コンクリート構造１１、又は鉄筋コンクリート製構造物の外壁に「高セラ材」１を用いた構造の水平断面図を示す。【００３２】  図６は、一般的な鉄筋コンクリート構造１１、又は鉄筋コンクリート製構造物の外面に「高セラ材」１を薄く形成し、「高セラ材」１の高強度性、及び割れ防止性を利用して、鉄筋コンクリートの厚さを削減し、使用量を減少した構造の水平断面図を示す。【００３３】  図７は、建築物の耐力壁、又は構造物の壁材、及び／又は底板材、及び／又は蓋材に「高セラ材」１を用いた実施例の水平断面図を示すものである。
「高セラ材」１の内部には、開口部１２が設けられ、「高セラ材」製ブロック材１３を構成しており、「高セラ材」１の使用量を少なくして、十分な壁強度が得られる構造となっている。
「高セラ材」１の壁面材１ａ、とコーナー材１ｂ、又は壁面材１ａ同士の接合部には、接合部材１４の縁部に設けられた爪部１４ａにより結合され、その間の目地部には、モルタル状の「高セラ材モルタル」１５により、強固に一体化されている。
又、別の実施例では、それらの接合部の目地部には、図３に例示したタングステン入り弾性充填剤８が充填されており、その一部には、タングステン入りシート材９が設けられ、放射線遮断を図っても良い。（図示せず）【００３４】  図８は、図７の縦断面Ｃ−Ｃを示すものであり、鉄筋を用いた結合を示す。
この構成においては、「高セラ材」製ブロック材１３同士は、鉄筋１６と「高セラ材モルタル」１５により強度を確保している。
鉄筋同士は、結束具１６ａにより結束構造を構成している。【００３５】  図９は、別の実施例を示すもので、短い結合ピン１８を用いて「高セラ材モルタル」１５により強度を確保している。この実施例は、「高セラ材モルタル」１５の高強度により、鉄筋１６を無くした構造例を示す。【００３６】  図１０は、図７の断面Ｄ−Ｄの上下の接合部を示す縦断面図である。
この構造においては、「高セラ材」製ブロック材１３の底部に設けられた凹部２０と上部に設けられた凸部２１が結合され、目地部に設けられた「高セラ材モルタル」１５により強度を確保している。【００３７】  図１１は、木造建築、又は鉄筋コンクリート造、又は鉄骨造において、「高セラ材」製ブロック材１３を外壁に設けた実施例である。
「高セラ材」製ブロック材１３の底部に設けられた凹部２０と上部に設けられた凸部２１の隙間には、壁固定金具２２が設けられており、壁固定金具２２の下端部は、固定具４により支持部材３に、固定される。
このように構成することで、まず壁固定金具２２を、支持部材３に固定した後、下の「高セラ材」製ブロック材１３をはめ込む。
次に、その下面に壁固定金具２２を支持部材３に固定し、更に、その下の段の「高セラ材」製ブロック材１３をあてがう、この工程を繰り返すことで、外壁を設置することができる。
この構成においては、外壁側に固定具４を露出することなく、「高セラ材」製ブロック材１３を取りつけることができ、容易に、放射能遮断層を構成することができる。【００３８】  図１２は、「高セラ材」製ブロック材１３の強度を更に高めるため、補強繊維２３を混入させた構造を示すものである。
補強繊維２３は、ステンレス繊維、又は合成樹脂繊維、又はガラス繊維、又はカーボン繊維等の内から適合するものを選択することができる。【００３９】  又、通常のポルトランドセメントに、「高セラ材」１を一定の割合、例えば、重量比で、ポルトランドセメント対「高セラ材」１を、混合した合成材料１００％に対し、ポルトランドセメント２０〜８０％となるよう「高セラ材」１を、混入させることにより、前述した「高セラ材」１の優れた性能を生かしつつ、建築材や構造材を安価に製造することができる。【００４０】  図１３は、「高セラ材」製ブロック材１３の外面に、化粧タイル２４を、「高セラ材モルタル」１５の強い接着力を利用して、打ち込んだ構造を示すもので、プレキャスト壁構造等にも適用できるものである。
この場合、他の実施例としては、化粧タイル２４を、「高セラ材」製化粧タイル２５とすることで、放射能遮断層を構成することもできる。（図示せず）【００４１】  図１４は、「高セラ材」製ブロック材１３の外面に、熱伝達塗料２６を塗装した構造を示すものである。熱伝達塗料２６とは、２５℃以上の高温の場合は、外部からの輻射熱等を反射し、２５℃未満では、熱遮断せずに通過させるという優れた性能を有する塗料である。【００４２】  図１５は、土壌や瓦礫等の被爆物質３０を、保管する中間保管施設、又は永久保管施設において、十分な保管機能を有する放射線遮蔽函体３１を示す概略斜視図である。
耐力を有する壁３２、及び／又は底板３３、及び／又は上部蓋３４として「高セラ材」１を用い、夫々を結合材３５と、ビス、ボルト等の結合手段３６を用いて構成したものである。【００４３】  図１６は、その別の実施例を示した概略斜視図であり、土壌や瓦礫等の被爆物質３０を、保管する中間保管施設、又は永久保管施設において、十分な保管機能を有する放射線遮蔽函体３７を示すものである。
「高セラ材」１を、壁板を構成した壁材３８、及び／又はコーナー部材３９、及び／又は底板４０、及び／又は上部蓋４１を、夫々「高セラ材モルタル」１５により強度を確保して構成したものである。【００４４】  図１７は、放射線遮蔽函体３７の詳細構造の１例を示す概略斜視図である。
コーナー部材３９の下部には、支持部４２が設けて有り、底板４０には、底板４０の厚さより薄い支え部４３が、設けてある。
コーナー部材３９を底板４０に、図１７のように、はめ込むと、コーナー部材３９の支持部４２が、底板４０の支え部４３の下に嵌まり、底板４０の重量を、コーナー部材３９が、支えるように、構成されている。
壁材３８は、接合部材１４を介してコーナー部材３９に結合されると共に、底板４０の上に上架され、底板４０の浮き上がりを防止している。
このような組合せで強固に形作られ、更に、「高セラ材モルタル」１５により強度を確保して構成したものである。
図１８は、そのＥ−Ｅ水平断面図を示すものである。
図１９は、そのＦ−Ｆ縦断面図を示すものである。
図２０は、壁材３８と、コーナー部材３９との結合部を示す水平断面図である。
図７の接合部と同様に、接合部材１４に設けられた爪部１４ａにより結合され、その間の目地部には、モルタル状の「高セラ材モルタル」１５により、強固に一体化されている。又、結合部材１４は、例示したＨ型形状だけでなく、種々の形状を選定することができる。【００４５】  図２１は、「高セラ材」製ブロック材５１を、一般に知られている組立ブロック玩具のように構成し、放射線遮蔽函体５０を形成した構造の概略斜視図である。
図２２は、「高セラ材」製ブロック材５１の拡大斜視図である。
「高セラ材」製ブロック材５１のいずれかの面には、ボタン状、又は線状、又は段差状突型の突起、及び他方面には凹型の穴部が設けてある。
図２１、図２２には、それらの例示として、上面には、突型の突起５２が設けられており、底部には、凹型の穴部５３が設けてある。
これらの突起５２と穴部５３は、お互いに組み合わされ、その接合部に「高セラ材モルタル」５３を用いて、一体化した高強度構造物を形成している。【００４６】  これらの突起５２と穴部５３には、開口５４が設けられており、この開口５４には、「高セラ材モルタル」５５が充填されており、加えて補強用ロッド材５６が挿入されている。
「高セラ材」製ブロック材５１の側面部には、一端に側面突起５７が設けてあり、他端の側面には、Ｕ字型の溝部５８が設けられており、それらは組合わさって一体に構成される。
側面突起５７には同様に、開口５４が設けられており、この開口５４には、「高セラ材モルタル」５５が充填されており、加えて補強用のロッド材５６が挿入されている。
従って、「高セラ材モルタル」５５と、補強用ロッド材５６が、連結部となり、放射線遮蔽函体５０を強固に構成している。
「高セラ材」製ブロック材５１には、水平開口５９が、少なくとも１つ以上〜複数個設けられており、重量削減と、使用材料の削減を図っている。【００４７】  図２３は、一つの「高セラ材」製ブロック材５１の断面を示したものである。
周辺には、組み合わされた「高セラ材」製ブロック材５１が、２点鎖線で示されている。
又補強用ロッド材５６が上下に貫通している状態を示している。
【産業上の利用可能性】
【００４８】  本発明の活用例としては、以上説明したように、人類の現在の最大の問題となっている原子力発電所の事故による放射線を遮断する建築、及び／又は放射能含有物を遮断保管する中間股間場所及び永久保管場所での放射線遮断構造物を提供するもので、被ばく地域の汚染被害を解決する極めて実用的手段を提供するものであり、かつ安価に製作できることによる利便性を大幅に高め、新商品による産業の発展に貢献できる極めて新規、かつ実用的な発明である。
【符号の説明】
【００４９】１    「高セラ材」
１ａ    壁面材
１ｂ    コーナー材
１ｃ    接合部
２    柱
３    支持部材
４    固定具
４ａ    皿ビス、又は
４ｂ    平頭ビス
５    間柱
６    内壁材
７    断熱材
８    タングステン入り弾性充填剤
９    タングステン入りシート材
１０  放射線遮断カバー
１１  鉄筋コンクリート構造
１２  開口部
１３  「高セラ材」製ブロック材
１４  接合部材
１４ａ  爪部
１５  「高セラ材モルタル」
１６  鉄筋
１６ａ  結束具
２０  凹部
２１  凸部
２２  壁固定金具
２３  補強繊維
２４  化粧タイル
２５  「高セラ材」製化粧タイル
２６  熱伝達塗料
３０  被爆物質
３１  放射線遮蔽函体
３２  耐力を有する壁
３３  底板
３４  上部蓋
３５  結合材
３６  結合手段
３７  放射線遮蔽函体
３８  壁材
３９  コーナー部材
４０  底板
４１  上部蓋
４２  支持部
４３  支え部
５０  放射線遮蔽函体
５１  「高セラ材」製ブロック材
５２  突起
５３  穴部
５４  開口
５５  「高セラ材モルタル」
５６  補強用ロッド材
５７  側面突起
５８  溝部
５９  水平開口
ｄ１  ネジ部の直径
ｄ２  頭部の直径
Ｄ１、Ｄ２  穴径
【図１】
2013195416.tif 000003
【図２】
2013195416.tif 000004
【図３】
2013195416.tif 000005
【図４】
2013195416.tif 000006
【図５】
2013195416.tif 000007
【図６】
2013195416.tif 000008
【図７】
2013195416.tif 000009
【図８】
2013195416.tif 000010
【図９】
2013195416.tif 000011
【図１０】
2013195416.tif 000012
【図１１】
2013195416.tif 000013
【図１２】
2013195416.tif 000014
【図１３】
2013195416.tif 000015
【図１４】
2013195416.tif 000016
【図１５】
2013195416.tif 000017
【図１６】
2013195416.tif 000018
【図１７】
2013195416.tif 000019
【図１８】
2013195416.tif 000020
【図１９】
2013195416.tif 000021
【図２０】
2013195416.tif 000022
【図２１】
2013195416.tif 000023
【図２２】
2013195416.tif 000024
【図２３】
2013195416.tif 000025